(57)【要約】【課題】ワイヤハーネスの幹線とこの幹線から分岐した枝線とこの枝線の先端に取り付けたコネクタとを、枝線は融通を持たせつつ、コネクタは着脱可能に固定対象に固定し得るワイヤハーネス用クランプを提供する。【解決手段】幹線Ｔを支持する略板状の基部２と、基部２の一方の面に形成し基部２を固定対象に係止する係止部３と、基部２の他方の面に形成し該面から法線方向に略Ｓ字形に延出した対向する二つのＳ字形部４ａ，４ｂと、Ｓ字形部４ａ，４ｂの上端に形成しコネクタＣを狭持して固定するコネクタ固定部６ａ，６ｂとを有し、Ｓ字形部４ａ，４ｂを捻って互いに引っ掛け合うことで、Ｓ字形部４ａ，４ｂの下半部によって枝線Ｂを囲繞する略環状の枝線固定部５を作出するワイヤハーネス用クランプ１を構成する。【選択図】図５
2009044937.tif 000002
【特許請求の範囲】
【請求項１】
幹線とこの幹線から分岐し先端にコネクタが取り付けられて成る枝線とを有するワイヤハーネスを固定対象に固定するためのワイヤハーネス用クランプであって、
上記幹線を支持する基部と、
この基部を固定対象に係止する係止部と、
上記枝線を上記基部に対して固定する枝線固定部と、
上記コネクタを上記基部に対して固定するためのコネクタ固定部と、
を有することを特徴とする、ワイヤハーネス用クランプ。
【請求項２】
前記基部は、略板状を成し、その一方の面に前記係止部が形成され、他方の面には該面から法線方向に略Ｓ字形に延出した互いに対向する二つのＳ字形部が形成され、それぞれのＳ字形部の上端には、前記コネクタを狭持して固定する前記コネクタ固定部を有し、
これらのＳ字形部を捻って互いに引っ掛け合うことで、前記Ｓ字形部の一部分によって前記枝線を囲繞する略環状の枝線固定部が作出されることを特徴とする、請求項１に記載のワイヤハーネス用クランプ。
【請求項３】
前記基部は、略板状を成し、その一方の面に前記係止部が形成され、他方の面には該面から法線方向に延出し互いに対向した前記コネクタ固定部と前記枝線固定部とが形成され、前記コネクタ固定部は、その先端に前記コネクタを係止するコネクタ係止部を有し、前記枝線固定部は、該コネクタ固定部に対して巻着することで、前記枝線を略環状に囲繞して締結し前記基部に対して固定することを特徴とする、請求項１に記載のワイヤハーネス用クランプ。
【発明の詳細な説明】
【技術分野】
【０００１】
本発明は、幹線と、この幹線から分岐し分岐した先端にコネクタが取り付けられて成る枝線とを有するワイヤハーネスを固定対象に固定するためのワイヤハーネス用クランプに関するものである。
【背景技術】
【０００２】
従来、車輌等の配線用に用いられる枝線Ｂ２を有するワイヤハーネスを、固定対象に固定するには、図１１に示すように、このワイヤハーネスの幹線Ｔ２に対して枝線Ｂ２の適当な部位をスリットテープ２１３で巻着していた。この際、スリットテープ２１３で巻着する枝線Ｂ２上の部位が、枝線Ｂ２先端に取り付けられたコネクタＣ２の基端部に近すぎると、枝線Ｂ２の自由度が低くなり、コネクタＣ２に任意でなされる接続がし難くなるという問題が生じる。このため、スリットテープ２１３による枝線Ｂ２の巻着部位は、枝線Ｂ２先端に取り付けられたコネクタＣ２から幾分離れた部位とすることが通常行われている。
【発明の開示】
【発明が解決しようとする課題】
【０００３】
しかしながら、スリットテープ２１３で巻着する枝線Ｂ２上の部位が、枝線Ｂ２先端に取り付けられたコネクタＣ２から離れすぎると、枝線Ｂ２先端の自由度が高くなりすぎて、該コネクタＣ２の位置が確実に定まらなくなるという問題が生じていた。また、この場合には、コネクタＣ２の位置が確実に定まらないだけでなく、コネクタＣ２を見つけることが困難である上、ワイヤハーネスを保護するための保護材を該ワイヤハーネスに対して装着し辛くなるという問題がある。さらに、枝線Ｂ２先端のコネクタＣ２が他の部品と干渉し、異音が発生するおそれがあった。
【０００４】
本発明は、上記問題点に鑑みて創作されたもので、ワイヤハーネスの幹線を固定対象に固定しつつ、該幹線から分岐した枝線を、融通を持たせることを可能としながら固定すると共に、該枝線の先端に取り付けられたコネクタを着脱可能に固定することができるワイヤハーネス用クランプを提供することを目的とする。
【課題を解決するための手段】
【０００５】
上記目的を達成するため、本発明のワイヤハーネス用クランプは、幹線とこの幹線から分岐し、その先端にコネクタが取り付けられて成る枝線とを有するワイヤハーネスを固定対象に固定するためのワイヤハーネス用クランプであって、該幹線支持する基部と、この基部を固定対象に係止する係止部と、該枝線を前記基部に対して固定する枝線固定部と、前記コネクタを該基部に対して固定するためのコネクタ固定部とを有することを特徴とする。
【０００６】
本発明の第一実施形態のワイヤハーネス用クランプは、基部が略板状を成し、その一方の面に係止部が形成され、他方の面には該面から法線方向に略Ｓ字形に延出した互いに対向する二つのＳ字形部が形成され、それぞれのＳ字形部の上端には、コネクタを狭持して固定するコネクタ固定部を有し、これらのＳ字形部を捻って互いに引っ掛け合うことで、Ｓ字形部の一部分によって枝線を囲繞する略環状の枝線固定部を作出することができるように構成されることを特徴とする。
【０００７】
本発明の第二実施形態のワイヤハーネス用クランプは、基部が略板状を成し、その一方の面には係止部が形成され、他方の面には該他方の面から法線方向に延出し互いに対向したコネクタ固定部と枝線固定部とが形成され、コネクタ固定部は、その先端にコネクタを係止するコネクタ係止部を有し、枝線固定部は、該コネクタ固定部に対して巻着することで、枝線を略環状に囲繞して締結し基部に対して固定することを特徴とする。
【発明の効果】
【０００８】
本発明のワイヤハーネス用クランプによれば、幹線を固定対象に固定する基部に、融通を持たせながら枝線を固定すると共に、枝線先端に取り付けられたコネクタを固定するためのコネクタ固定部を設けたことにより、ワイヤハーネス及びコネクタを確実に固定できるから、コネクタの固定位置を明確にすることができ、作業性を向上させることができる上、異音を防ぐことができる。また、従来枝線の固定に用いていたスリットテープが不要となる。
【発明を実施するための最良の形態】
【０００９】
以下、本発明の好ましい実施の形態を詳細に説明する。本発明のワイヤハーネス用クランプは、比較的太めで長い幹線と、この幹線から分岐しその先端にコネクタが取り付けられて成る比較的細めで短い枝線とを有するワイヤハーネスを固定対象に固定するためのクランプである。
【００１０】
ワイヤハーネス用クランプは、幹線を支持しつつ、ワイヤハーネスを固定対象に固定するための基部を有する。この基部には、該基部を固定対象に係止するための係止部が設けられる。また、基部には、枝線を該基部に対して固定するための枝線固定部が設けられる。この枝線固定部は、その初期状態においては枝線を固定する状態ではなく、使用時において枝線固定部を所要の操作で変形し固定状態に変態させることで、融通を持たせながら枝線を基部に固定することができるように構成される。
【００１１】
また、ワイヤハーネス用クランプは、コネクタを基部に対して固定するためのコネクタ固定部を有する。このコネクタ固定部は、基部に直接的に設けてもよく、或いは、基線固定部を介して基部に間接的に設けてもよい。
【第一実施形態】
【００１２】
以下、本発明の第一実施形態を、添付図面を参照しながら詳細に説明する。本実施形態のワイヤハーネス用クランプ１は、図１に示すように、平面長方形の平板状の基部２を有する。この基部２の下面側の長手方向におけるほぼ中央の側部位置には、基部２を固定対象に取り付けて固定するための矢印形の係止部３が下向きに凸設され、これによって抜け止め効果を持たせつつ、固定対象に対して着脱可能に係止できるように構成される。
【００１３】
基部２の上面側の長手方向におけるほぼ中央の側部位置には、基部２の基板上面から法線方向に略Ｓ字形に延出した互いに若干の間隔を開けて対向する二つのＳ字形部４ａ，４ｂが形成され、各Ｓ字形部４ａ，４ｂの下半の湾曲した部分が枝線固定部５を成すように構成される。この枝線固定部５は、図２に示すように、対向する二つのＳ字形部４ａ，４ｂを捻って互いに引っ掛け合うことで、該Ｓ字形部４ａ，４ｂの下半の湾曲した部分によって図５に示す枝線Ｂを囲繞する略環状の枝線固定部５を作出することができるように構成される。
【００１４】
それぞれのＳ字形部４ａ，４ｂの上端には、コネクタＣを狭持して固定するためのコネクタ固定部６ａ，６ｂが形成される。コネクタ固定部６ａ，６ｂは、基部２の板面と平行で且つ基部の長手方向に対して直交方向に延出した支持フレーム７ａ，７ｂを備えている。これらの支持フレーム７ａ，７ｂの一端には、コネクタＣの一端面に形成される凹部８に係止するための爪状部９ａ，９ｂが、他端には、コネクタＣの前記一端面に対向する端面に形成される枝線接続用の枝線差込穴１０に係入するためのフック状部１１ａ，１１ｂが形成され、図３及び図４に示すように、枝線Ｂの先端に取り付けられたコネクタＣを狭持することができるように構成される。
【００１５】
上記説明のように構成されたワイヤハーネス用クランプ１を図５に示すように使用する場合には、先ず、基部２の上面に、枝線Ｂが分岐した若干先部位の幹線Ｔを載置して、基部２の両端付近を幹線Ｔと共にテープ１２で巻着し、基部２に対して幹線Ｔを固定する。
【００１６】
次いで、二つのＳ字形部４ａ，４ｂの互いに対向するその下半の湾曲した部分に、該二つのＳ字形部４ａ，４ｂ同士の間隙の上方から枝線Ｂを通し入れ、その後、それら二つのＳ字形部４ａ，４ｂを捻って互いに引っ掛け合って枝線Ｂを略環状に囲繞する。こうしておきながら最後に、枝線Ｂの先端に取り付けられたコネクタＣを、Ｓ字形部４ａ，４ｂの上端に形成されたコネクタ固定部６ａ，６ｂに圧入して爪状部９ａ，９ｂとフック状部１１ａ，１１ｂとによって狭持する。
【第二実施形態】
【００１７】
次に、本発明の第二実施形態を、添付図面を参照しながら詳細に説明する。本実施形態のワイヤハーネス用クランプ１０１は、図６に示すように、平面長方形の平板状の基部１０２を有する。この基部１０２の下面側の長手方向におけるほぼ中央の側部位置には、基部１０２を固定対象に取り付けて固定するための矢印形の係止部１０３が下向きに凸設され、これによって抜け止め効果を持たせつつ、固定対象に対して着脱可能に係止できるように構成される。
【００１８】
基部１０２の上面側の長手方向におけるほぼ中央の側部位置には、基部１０２の基板上面から法線方向に延出し互いに若干の間隔を開けて対向したコネクタ固定部１０６と枝線固定部１０５とが形成される。コネクタ固定部１０６は、可撓性を有する平紐状に延び上がった支持部１０４を有し、この支持部１０４の上端にはコネクタＣ１を係止するためのコネクタ係止部１０９が形成されて成る。コネクタ係止部１０９は、図７に示すように、略三角形に象られ、可撓性を有してその先端にはＶ字形の切り込みが形成されて成り、コネクタＣ１に形成された係入部１０７に挿入して、抜け止め効果がもたらされつつも着脱可能に係止することができるように構成される。
【００１９】
枝線固定部１０５は、可撓性を有する平紐状に延び上がった枝線囲繞部１０７を有し、この枝線囲繞部１０７の上端には、図８及び図９に示すように、コネクタ固定部１０６の支持部１０４に引っ掛けて固定する折り返し形状になった巻着部１１０が形成されて成り、枝線Ｂ１の先端部周辺を折り畳むように曲げて、その基端部を枝線囲繞部１０７で略環状に囲繞し、巻着部１１０でコネクタ固定部１０６の支持部１０４に対して巻着することで枝線Ｂ１を締結して基部１０２に対して固定することができるように構成される。
【００２０】
上記説明のように構成されたワイヤハーネス用クランプ１０１を図１０に示すように使用する場合には、先ず、基部１０２の上面に、枝線Ｂ１が分岐した若干先部位の幹線Ｔ１を載置して、基部１０２の両端付近を幹線Ｔ１と共にテープ１１２で巻着し、基部１０２に対して幹線Ｔ１を固定する。
【００２１】
次いで、コネクタ固定部１０６の先端のコネクタ係止部１０９をコネクタＣ１に形成された係入部１０７に挿入しつつ、枝線Ｂ１の先端部周辺を折り畳むように曲げる。その曲がった枝線Ｂ１の基端部を枝線固定部１０５の枝線囲繞部１０７とコネクタ固定部１０６の支持部１０４とで囲繞しつつ、該枝線固定部１０５の先端に形成された巻着部１１０で該支持部１０４に巻着して固定し、枝線Ｂ１を基部１０２に対して若干融通を持たせながら固定する。
【００２２】
以上説明したように、本発明のワイヤハーネス用クランプは、ワイヤハーネスの幹線から分岐した枝線と、枝線の先端に取り付けられたコネクタとを、固定対象に着脱可能に且つ融通を持たせて固定するものであって、その主旨を逸脱しない範囲において様々な形態で実施することができる。
【図面の簡単な説明】
【００２３】
【図１】実施形態１のワイヤハーネス用クランプの斜視図である。
【図２】実施形態１のワイヤハーネス用クランプの二つのＳ字形部を捻って互いに引っ掛け合った状態を示す斜視図である。
【図３】実施形態１のワイヤハーネス用クランプのコネクタ固定部にコネクタを固定した状態を示す断面図である。
【図４】実施形態１のワイヤハーネス用クランプのコネクタ固定部に固定されたコネクタの要部の構成を示す斜視図である。
【図５】実施形態１のワイヤハーネス用クランプの使用状態を示す斜視図である。
【図６】実施形態２のワイヤハーネス用クランプの斜視図である。
【図７】実施形態２に係るワイヤハーネス用クランプのコネクタ固定部先端のコネクタ係止部と、コネクタとの結合関係を示す拡大斜視図である。
【図８】実施形態２のワイヤハーネス用クランプの枝線固定部先端の巻着部によるコネクタ固定部の支持部に対する巻着状態を示す斜視図である。
【図９】実施形態２のワイヤハーネス用クランプの枝線固定部先端の巻着部によるコネクタ固定部の支持部に対する巻着状態を示す図であって、図８におけるＢ−Ｂ’断面図である。
【図１０】実施形態２のワイヤハーネス用クランプの使用状態を示す斜視図である。
【図１１】従来のワイヤハーネスの幹線に対する枝線の一固定方法を示す斜視図である。
【符号の説明】
【００２４】
１  ワイヤハーネス用クランプ
２  基部
３  係止部
４ａ  Ｓ字形部
４ｂ  Ｓ字形部
５  枝線固定部
６ａ  コネクタ固定部
６ｂ  コネクタ固定部
７ａ  支持フレーム
７ｂ  支持フレーム
８  凹部
９ａ  爪状部
９ｂ  爪状部
１０  枝線差込穴
１１ａ  フック状部
１１ｂ  フック状部
１２  テープ
１０１  ワイヤハーネス用クランプ
１０２  基部
１０３  係止部
１０４  支持部
１０５  枝線固定部
１０６  コネクタ固定部
１０７  枝線囲繞部
１０８  係入部
１０９  コネクタ係止部
１１０  巻着部
１１２  テープ
２１３  スリットテープ
Ｂ  枝線
Ｂ１  枝線
Ｂ２  枝線
Ｃ  コネクタ
Ｃ１  コネクタ
Ｃ２  コネクタ
Ｔ  幹線
Ｔ１  幹線
Ｔ２  幹線
【図１】
2009044937.tif 000003
【図２】
2009044937.tif 000004
【図３】
2009044937.tif 000005
【図４】
2009044937.tif 000006
【図５】
2009044937.tif 000007
【図６】
2009044937.tif 000008
【図７】
2009044937.tif 000009
【図８】
2009044937.tif 000010
【図９】
2009044937.tif 000011
【図１０】
2009044937.tif 000012
【図１１】
2009044937.tif 000013